(57)【要約】      （修正有）【課題】少量生産や多種にわたる形状への変化に対応でき、更に、様々なディスプレイを一体的に組み合わせることも簡単であり、様々な対応を可能とするディスプレイ商品を提供する。【解決手段】各種形状の透明或いは半透明の有底容器１１内に、粒径が０．０１乃至１０ｍｍの顆粒状材料１と接着剤３のほかに、芳香・消臭剤８を固めた状態で詰め込み形成され、その上方部に各種ディスプレイが、その下端部が該顆粒状材料及び接着剤及び芳香・消臭剤に固定されている。【選択図】図８
2007310109.tif 000002
【特許請求の範囲】
【請求項１】
各種形状の透明或いは半透明の有底容器内に、粒径が０．０１乃至１０ｍｍの顆粒状材料を接着剤により固めた状態で詰め込み形成され、その上方部に各種ディスプレイが、その下端部が該顆粒状材料及び接着剤に固定されてなることを特徴とするパウダーディスプレイ。
【請求項２】
各種形状の透明或いは半透明の有底容器内に、粒径が０．０１乃至１０ｍｍの顆粒状材料、接着剤及び芳香・消臭剤とを固めた状態で詰め込み形成され、その上方部に各種ディスプレイが、その下端部が該顆粒状材料、接着剤及び芳香・消臭剤に固定されてなることを特徴とするパウダーディスプレイ。
【請求項３】
各種形状の透明或いは半透明の有底容器内の底側より、粒径が０．０１乃至１０ｍｍの顆粒状材料を接着剤により固めながら順次積層し、その上方部において食品サンプル或いは草木等のディスプレイを、その下端部が該顆粒状材料及び接着剤中に植え付けるようにして埋設或いは接着剤により表面側に固定することにより装着してなることを特徴とするパウダーディスプレイの製造方法。
【請求項４】
各種形状の透明或いは半透明の有底容器内の底側より、粒径が０．０１乃至１０ｍｍの顆粒状材料及び芳香・消臭剤とを接着剤により固めながら順次積層し、その上方部において食品サンプル或いは草木等のディスプレイを、その下端部が顆粒状材料、接着剤及び芳香・消臭剤中に植え付けるようにして埋設或いは接着剤により表面側に固定することにより装着してなることを特徴とするパウダーディスプレイの製造方法。
【発明の詳細な説明】
【技術分野】
【０００１】
本発明は、顆粒状材料を固めたその上方部に各種ディスプレイを装着してなるパウダーディスプレイ及びその製造方法に関するものである。
【背景技術】
【０００２】
飲食店、レストラン等の食品や飲料水等を販売する店舗或いは他の販売品の店舗  には、その店頭において当該食品や各種販売品等の見本品が飾られることが多い。この見本品には合成樹脂を利用して本物品にその外観を似せて製造した、当該本物品と見間違えるほど精巧なものが採用されている。
【０００３】
しかし、上記合成樹脂製品は、見本品を製造するために金型を造ったり、そうでない少量生産の場合においても木型や石膏型のような何等かの型を造る必要があった。更に、その型内に見本品となる合成樹脂や他の材料を流し込む必要があった。従って、極めて高価な見本品となり、多量生産を前提としない限り価格的に問題があった。
【０００４】
更に、従来のものは同一の見本品でもその形状を変化させるには他の見本品と同様、金型からその製品に合ったものを製造し直す必要があり、様々な多種に及ぶ形状にはとても対応しきれるものではなかった。また、他の商品と一体的に組合せる自由度も少なく、バラエティに富んだディスプレイ商品を製造することはできなかった。
【０００５】
更に、合成樹脂製品の場合、当該商品から長期間にわたって芳香・消臭機能のあるディスプレイ商品として製造することは困難であった。
【特許文献１】特開２００５−２６６４３９号公報
【０００６】
上記文献は、食品サンプルから香りが出ているように工夫しているが、該サンプルの下方部に水供給手段、香料液供給手段及び混合蒸気手段等よりなる香り付き蒸気発生装置を備えたもので、食品サンプルから香りが放出されているように見せかけているが、大掛かりな装置を必要とし、多くの様々な種類のサンプル品に対応できるものではなかった。
【発明の開示】
【発明が解決しようとする課題】
【０００７】
本発明は、上記各種欠点を解決したもので、少量生産や多種にわたる形状への変化に対応でき、更に、様々なディスプレイを一体的に組み合せることも簡単であり、様々な対応を可能とするディスプレイ及びその製造方法を提供するものである。
【０００８】
また、そのディスプレイに対して芳香・消臭機能を付与することもでき、多様性に富んだパウダーディスプレイ及びその製造方法を提供するものである。
【課題を解決するための手段】
【０００９】
本発明は、各種形状の透明或いは半透明の有底容器内に、粒径が０．０１乃至１０ｍｍの顆粒状材料を接着剤により固めた状態で詰め込み形成され、その上方部に各種ディスプレイが、その下端部が該顆粒状材料及び接着剤に固定されてなるパウダーディスプレイを特徴とする。
【００１０】
また、各種形状の透明或いは半透明の有底容器内に、粒径が０．０１乃至１０ｍｍの顆粒状材料、接着剤及び芳香・消臭剤とを固めた状態で詰め込み形成され、その上方部に各種ディスプレイが、その下端部が該顆粒状材料、接着剤及び芳香・消臭剤に固定されてなるパウダーディスプレイを特徴とする。
【００１１】
更に、各種形状の透明或いは半透明の有底容器内の底側より、粒径が０．０１乃至１０ｍｍの顆粒状材料を接着剤により固めながら順次積層し、その上方部において食品サンプル或いは草木等のディスプレイを、その下端部が該顆粒状材料及び接着剤中に植え付けるようにして埋設或いは接着剤により表面側に固定することにより装着してなるパウダーディスプレイの製造方法を特徴とする。
【００１２】
また、各種形状の透明或いは半透明の有底容器内の底側より、粒径が０．０１乃至１０ｍｍの顆粒状材料及び芳香・消臭剤とを接着剤により固めながら順次積層し、その上方部において食品サンプル或いは草木等のディスプレイを、その下端部が顆粒状材料、接着剤及び芳香・消臭剤中に植え付けるようにして埋設或いは接着剤により表面側に固定することにより装着してなるパウダーディスプレイの製造方法を特徴とする。
【発明の効果】
【００１３】
本発明は、容器及び顆粒状材料と接着剤をディスプレイの基材として採用することにより、様々な形状のディスプレイに対応することができ、各種ディスプレイを組み合わせたものを含め極めて安価なディスプレイを提供することが可能となった。
【００１４】
また、透明或いは半透明の様々な形状の据え付けや装飾等を考慮した既製品の容器や特別な形状に形成した容器等を採用することにより、変化に富んだ綺麗なディスプレイを提供することが可能となった。  
【００１５】
更に、顆粒状材料とともに芳香・消臭剤を併用して各種形状に固めることにより、該ディスプレイから長期にわたって芳香を漂わせることを可能とした。
【発明を実施するための最良の形態】
【００１６】
以下、本発明の実施例を図に基づいて説明する。
【実施例１】
【００１７】
図１に示すものは、本発明のパウダーディスプレイの主たる材料となる顆粒状材料１、１´、１´´、１´´´を示している。（イ）は顆粒状の石１、（ロ）は顆粒状のセラミック１´、（ハ）は顆粒状の発泡ポリウレタン１´´、（ニ）は顆粒状の軽石１´´´等を示している。以下、それらを顆粒状材料１という。
【００１８】
上記顆粒状材料１は、０．０１ｍｍ乃至１０ｍｍ径の不定形材料のものが選ばれ、色はディスプレイとなる完成品に応じて各種のものが選定される。着色しても良い。表面周囲の形状は、それらを連結する接着剤とよくなじむものが良く、特に限定するものではない。
【００１９】
図２に示すように、上記顆粒状材料１を適宜形状の上方側が開口した有底容器２内に詰め込みながら接着剤３を付与することにより固定させる。該有底容器２としては、合成樹脂製やガラス製の透明、半透明或いは各種色や模様等をその側壁に設けたものを選定する。場合によってはアルミニウム製や鋼製等のものを選定することもできる。有底容器２は、既製品でも特別に製造しても良いが、下記するようにディスプレイによって商品を変化させることができるので同一形状の有底容器２を使用しても多様な商品を得ることが可能となる。
【００２０】
該接着剤３としては、ＰＶＡポリビニールアルコール、ＰＥポリエチレン、ＷＡＸ蝋、グリセリン、アルコール水、デンプン等の材料の中から１種或いは多種を選定したものが選ばれる。例えば、ＰＶＡの場合、５〜９０％の間で希釈した材料を使用する。該接着剤３の付与としては、図２に示すように、顆粒状材料１を有底容器２内において順次積層しながらスプレー４からの接着剤３の吹き付けによって相互に連結する手段、或いは予め該顆粒状材料１の周囲に水溶性の非粘着性接着剤をまぶしておき、上記同様、該顆粒状材料１を積層しながらスプレー４からの水の吹き付けによって粘着機能が得られるようにしてそれら相互を接着する手段等を選定することができる。
【００２１】
上記有底容器２内の底側より該顆粒状材料１を積層しながら順次上方部へ向かって固定し、図３に示すように、その上方部に食品サンプル或いは草木等（以下、ディスプレイ５という）をその下端部が該顆粒状材料及び接着剤中に植え付けられるようにして埋設或いは接着剤により表面側に固定することにより装着する。埋設する場合、該ディスプレイ５は該有底容器２内の顆粒状材料１相互を連結している接着剤により強固に固定することが可能となる。
【００２２】
上記有底容器２の形状は、ディスプレイ５を装飾するにふさわしく、且つ設置や飾り付け等に安定した様々なものを選択することができ、且つその周囲側面に、図４に示すように、様々な色や模様を形成しておくこともでき、上記ディスプレイ５の装飾と相乗効果を出すことができる。
【００２３】
上記ディスプレイ５は、イチゴ、ブドウ、ミカン、バナナ、パン等の食品サンプル（一部本物品を含め食品サンプルという）の単品や組み合せ品或いはバラ、カーネーション、松、竹、梅等の草木の単品や組み合せ品、更に、上記食品に華やかさを出すために草木を組み合わせる等の様々な態様として飾り付けることができ、それらのものは本物品や合成樹脂、その他の材料での大量生産できるもの等を単独で或いは組み合せて使用するものである。
【実施例２】
【００２４】
上記実施例１と同様の顆粒状材料１を、上記同様の接着剤３によって有底容器２内に固定させるが、その際、周囲に凹凸を有する形状の発泡ポリウレタンや軽石等の浸透性の良好な物質６に芳香・消臭材７を浸透させて芳香・消臭剤８を形成する。
【００２５】
上記周囲に凹凸を有する浸透性の良好な物質６の形状としては、図５に示すように、少なくとも本体の最大径の１／４前後の凹部をその中心部に向かって適数個形成したものが良い。図５のものは径の約１／３の凹部を中心部に向かって５箇所形成している。
【００２６】
また、芳香・消臭材７の浸透性の良好な物質６への浸透手段としては、図６に示すように、容器９内の液状芳香・消臭材７の中にドブ漬けするか、図７に示すように、スプレー１０により吹き付ける等によって行なう。上記両者を併用してもよい。
【００２７】
上記浸透性の良好な物質６の周囲を凹凸形状とすることにより、図７に示すように、該凹部に芳香・消臭材７が入り込み、且つ該物質６全体を包み込むことになり、凸部側の芳香・消臭材７の効果が薄れても、凹部側に深く浸透している芳香・消臭材７が長期間にわたりその効果を奏することが可能となる。また、それらの効果が薄れても、次には該物質６中に浸透している芳香・消臭材７が凹部によって周辺長を長くされた側壁より放香されることになり、更なる長期間にわたる効果を奏することが可能となっている。
【００２８】
該芳香・消臭材７としては、ディスプレイ５として装着されるものに合わせた香りが放香されるものが選定される。材料としては合成樹脂によって合成したものや、草や葉等の自然品から製造したもの等が選定される。
【００２９】
図８は、有底容器１１内に顆粒状材料１と接着剤３の他に、上記方法によって形成した芳香・消臭剤８を順次積層しながら固定し、その上方部に各種ディスプレイ５をその下端部が該顆粒状材料１、接着剤３及び芳香・消臭剤８中に植え付けるようにして埋設することにより装着した例を示している。
【００３０】
上記芳香・消臭剤８は、顆粒状材料１内に接着剤３により固定されるが、顆粒状材料１相互及び顆粒状材料１と芳香・消臭剤８或いは芳香・消臭剤８相互を連結する該接着剤３は、相互を連結するのみであり、全体がドブ漬け状態で全面が接合されることなくその相互間には隙間が生じており、該隙間から有底容器１１内に固定されている芳香・消臭剤８から香りが放香されることになる、そして該接着剤３により隙間は狭くされており、放香は少しずつ長期にわたって放たれることになる。また、接着剤３の臭いは、接着剤３の種類によって選定された消臭効果のある消臭剤の消臭効果により消されることになる。
【００３１】
図９は、上記実施例或いは他の製造手段に基づく本発明の完成品の各種形状を示した斜視図である。図９のものは、透明或いは半透明の有底容器２内に顆粒状材料１を接着剤３によって固めたものの上方部にイチゴ、ブドウ、ミカン、サクランボ、お菓子等の食品サンプル品となるディスプレイを装着している。
【００３２】
図９の左上のディスプレイのように（図１０のもの）、側壁側を偏平状にカットされた状態の有底容器２に透明か半透明の板状の表・裏板によって顆粒状材料１、接着剤３或いは芳香・消臭剤８をサンドイッチ状に挟持固定したもの、同図右上のディスプレイのように（図１１のもの）、顆粒状材料１、接着剤３或いは芳香・消臭剤８が埋設された略Ｖ字形の偏平状カット状の有底容器２を湾曲状の板体により表・裏面からサンドイッチ状に挟持固定したもの等を製造することができ、且つそれらのものは必要に応じて板体の表・裏面や周縁部に各種形状の凹凸やカット、各種模様等を形成しておくことにより装飾効果を高めることができる。
【図面の簡単な説明】
【００３３】
【図１】（イ）〜（ニ）顆粒状材料の断面図。
【図２】顆粒状材料に接着剤を塗布しながら有底容器内に積層している状態を示した断面図。
【図３】装飾を施した有底容器内に顆粒状材料と接着剤を詰め込み、上方部にディスプレイを固定した状態を示した断面図。
【図４】有底容器内に顆粒状材料と接着剤を詰め込み、上方部にディスプレイを固定した状態を示した斜視図。
【図５】芳香・消臭剤のもととなる材料の断面図。
【図６】容器内の芳香・消臭材により芳香・消臭剤を形成している状態を示す断面図。
【図７】スプレーにより芳香・消臭剤を完成させている状態を示す断面図。
【図８】有底容器内に顆粒状材料、接着剤及び芳香・消臭剤とを詰め込み、上方部にディスプレイを固定した状態を示した断面図。
【図９】本発明の数種類のパウダーディスプレイとしての完成品を示す斜視図。
【図１０】本発明のパウダーディスプレイとしての完成品の１実施例を示す斜視図。
【図１１】本発明のパウダーディスプレイとしての完成品の他の実施例を示す斜視図。
【符号の説明】
【００３４】
１                    顆粒状材料
２                    有底容器
３                    接着剤
４                    スプレー
５                    ディスプレイ
６                    浸透性の良好な物質
７                    芳香・消臭材
８                    芳香・消臭剤
９                    容器
１０                    スプレー
１１                    有底容器
【図１】
2007310109.tif 000003
【図２】
2007310109.tif 000004
【図３】
2007310109.tif 000005
【図４】
2007310109.tif 000006
【図５】
2007310109.tif 000007
【図６】
2007310109.tif 000008
【図７】
2007310109.tif 000009
【図８】
2007310109.tif 000010
【図９】
2007310109.tif 000011
【図１０】
2007310109.tif 000012
【図１１】
2007310109.tif 000013